(57)【要約】      （修正有）【課題】締付けによるトルクの大きさまで明確に表示できるトルク表示機能付きネジを提供する。【解決手段】ネジ穴５にネジ込まれるネジ本体１のヘッド９を下側で金具３が受ける。この金具３に抱持され押し下げられる第１バネ１７を下側で回転板２３が受ける。この回転板２３を下側で台座２５が受ける。回転ストッパー２９のフィン状部分３１が、台座２５に形成された第１縦ガイド３３にガイドされ、回転板２３に形成された第２縦ガイド３５にガイドされることで、台座２５および回転板２３と回転方向に一体化する。そして、筒状の金具３の縁部で回転ストッパー２９が押し下げられたときに、フィン状部分３１が第２縦ガイド３５から外れることで、台座２５に対し回転板２３が回転可能になる。回転板２３には窓３９が形成され、この窓３９を通して、台座２５の周方向へ変化する表示部が表示され、よって、トルクの大きさが明確に表示できる。【選択図】図１
2010077989.tif 000002
【特許請求の範囲】
【請求項１】
締付けトルクを表示する機能を備えたネジにおいて、母材のネジ穴にネジ込まれるネジ本体と、このネジ本体のヘッドを下側で受ける筒状の金具と、この金具に抱持され押し下げられる第１バネと、この第１バネを下側で受ける回転板と、この回転板を下側で受ける台座と、この台座に形成された第１縦ガイドにガイドされ、前記回転板に形成された第２縦ガイドにガイドされることで前記台座および回転板と回転方向に一体化し、前記金具の縁部で押し下げられたときに前記第２縦ガイドから外れることで前記台座に対し前記回転板を回転可能にする回転ストッパーと、この回転ストッパーを下側で支え前記台座に保持される第２バネと、回転板に形成された窓と、この窓を通して表示される台座の周方向へ変化する表示部と、を有することを特徴とするトルク表示機能付きネジ。
【請求項２】
締付けトルクを表示する機能を備えたネジにおいて、母材のネジ穴にネジ込まれるネジ本体と、このネジ本体のヘッドを下側で受ける金具と、この金具を下側で受ける回転板と、この回転板を下側で受ける台座と、この台座に形成された第１縦溝にガイドされ、前記回転板に形成された第２縦溝に嵌合することで前記台座および回転板と回転方向に一体化し、前記金具で押し下げられたときに前記第２縦溝から外れることで前記台座に対し前記回転板を回転可能にする回転ストッパーと、この回転ストッパーを下側で支え前記台座に保持されるバネと、回転板に形成された窓と、この窓を通して表示される台座の周方向へ変化する表示部と、を有することを特徴とするトルク表示機能付きネジ。
【請求項３】
前記第１縦ガイドは、前記台座に形成された半径方向の縦溝、または縦孔であり、前記第２縦ガイドは、前記回転板に形成された半径方向の縦溝、または縦孔であり、前記回転ストッパーは、前記縦溝にガイドされるフィン状部分を有することを特徴とする請求項１、または２に記載のトルク表示機能付きネジ。
【発明の詳細な説明】
【技術分野】
【０００１】
この発明は、締付けトルクを表示する機能を備えたネジの構造に関する。
【背景技術】
【０００２】
締付けトルクを表示する機能を備えたネジは、既に、複数が提案されている。
例えば、特許文献１の図１では、ワッシャにゴム製で着色されたものを使用し、ネジを締付けると、ネジのヘッドに押圧されたワッシャ１が、変形し、ヘッドよりも半径方向へはみ出すことで、目視され、締付けトルクが一定値を超えたことが表示される。
また、特許文献１の図２では、ワッシャに逆Ｖ字形状のバネ部２ｕを設け、このバネ部２ｕを着色し、ネジを締付けると、ネジのヘッドに押圧されたバネ部２ｕが、変形し、ヘッドよりも半径方向へはみ出すことで、目視され、締付けトルクが一定値を超えたことが表示される。
【０００３】
さらに、特許文献２では、ワッシャの片面に突起部を形成し、反対面にこの突起部が陥没するための窪みを形成する。ネジを締付けると、ネジのヘッドに押圧された突起部が窪みに陥没して、ヘッドとワッシャの間の隙間が容易に小さくなるので、この隙間をゲージにより測定することで、締め付け荷重を表示できる。
【特許文献１】特開平６−２８０８３７
【特許文献２】特許３０５５６９４
【発明の開示】
【発明が解決しようとする課題】
【０００４】
しかしながら、特許文献１の図１の技術は、ゴム製のワッシャがヘッドよりも半径方向へはみ出すことで、トルクを表示するものであるから、トルクが一定の大きさを超えたことを示すはみ出しがあるか否かは比較的明確に表示できるものの、その後の締付けによるトルクの大きさまで知るためには、はみ出し量を正確に目視しなければならず、正確さに欠ける。
【０００５】
また同様に、特許文献１の図２の技術は、逆Ｖ字形状のバネ部２ｕの端部が、ヘッドよりも半径方向へはみ出すことで、トルクを表示するものであるから、トルクが一定の大きさを超えたことを示すはみ出しがあるか否かは比較的明確に表示できるものの、その後の締付けによるトルクの大きさまで知るためには、はみ出し量を正確に目視しなければならず、正確さに欠ける。
【０００６】
さらに、特許文献２では、トルクが一定の大きさを超えたことを示す表示も明確ではなく、トルクの大きさまで知るためには、ヘッドとワッシャの間の隙間をゲージにより測定しなければならず、測定作業が面倒である。
この発明は、以上の問題点を解決するために、締付けによるトルクの大きさまで明確に表示でき、しかもゲージ等による測定が必要でないトルク表示機能付きネジを提供することを目的とする。
【課題を解決するための手段】
【０００７】
以上の課題を解決するために、第一発明は、締付けトルクを表示する機能を備えたネジにおいて、母材のネジ穴にネジ込まれるネジ本体と、このネジ本体のヘッドを下側で受ける筒状の金具と、この金具に抱持され押し下げられる第１バネと、この第１バネを下側で受ける回転板と、この回転板を下側で受ける台座と、この台座に形成された第１縦ガイドにガイドされ、前記回転板に形成された第２縦ガイドにガイドされることで前記台座および回転板と回転方向に一体化し、前記金具の縁部で押し下げられたときに前記第２縦ガイドから外れることで前記台座に対し前記回転板を回転可能にする回転ストッパーと、この回転ストッパーを下側で支え前記台座に保持される第２バネと、回転板に形成された窓と、この窓を通して表示される台座の周方向へ変化する表示部と、を有することを特徴とするトルク表示機能付きネジである。
【０００８】
第二発明は、締付けトルクを表示する機能を備えたネジにおいて、母材のネジ穴にネジ込まれるネジ本体と、このネジ本体のヘッドを下側で受ける金具と、この金具を下側で受ける回転板と、この回転板を下側で受ける台座と、この台座に形成された第１縦溝にガイドされ、前記回転板に形成された第２縦溝に嵌合することで前記台座および回転板と回転方向に一体化し、前記金具で押し下げられたときに前記第２縦溝から外れることで前記台座に対し前記回転板を回転可能にする回転ストッパーと、この回転ストッパーを下側で支え前記台座に保持されるバネと、回転板に形成された窓と、この窓を通して表示される台座の周方向へ変化する表示部と、を有することを特徴とするトルク表示機能付きネジである。
【０００９】
第三発明は、さらに、前記第１縦ガイドは、前記台座に形成された半径方向の縦溝、または縦孔であり、前記第２縦ガイドは、前記回転板に形成された半径方向の縦溝、または縦孔であり、前記回転ストッパーは、前記縦溝にガイドされるフィン状部分を有することを特徴とするトルク表示機能付きネジである。
【発明の効果】
【００１０】
第一発明によれば、ネジ本体が母材のネジ穴にネジ込まれる初期には、トルク表示機能付きネジを構成する各部材が回転する。
やがて、締付けトルクがネジ本体に与えられ、台座が母材に接し、摩擦抵抗が増大すると、上方のネジ本体、筒状の金具、および第１バネは回転を続けるものの、第１縦ガイドおよび第２縦ガイドにより一体化していた下方の台座、回転板、および回転ストッパーは、回転を止め、静止する。
【００１１】
締付けトルクが大きくなり、ネジ本体のヘッドを受ける筒状の金具の縁部が、第１バネや第２バネのバネ力に抗して回転ストッパーを押し下げ、この回転ストッパーが第２縦ガイドから外れると、静止する台座に対し回転板が回転可能になる。
さらに締付けトルクが大きくなり、静止する台座に対し回転板が回転しはじめ、回転板に形成された窓を通して台座の表示部が、変化して表示されるので、締付けトルクを表示できることとなる。
【００１２】
このため、台座の周方向へ変化する表示部を、例えば周方向に複数設けられた着色部や模様とすれば、窓を通して表示部が色や模様の変化として表示され、よって、締付けによるトルクの大きさまで明確に表示でき、しかもゲージ等による測定が必要でない。
第二発明によれば、ネジ本体が母材のネジ穴にネジ込まれる初期には、トルク表示機能付きネジを構成する各部材が回転する。
やがて、締付けトルクがネジ本体に与えられ、台座が母材に接し、摩擦抵抗が増大すると、上方のネジ本体、および金具は回転を続けるものの、第１縦ガイドおよび第２縦ガイドにより一体化していた下方の台座、回転板、および回転ストッパーは、回転を止め、静止する。
【００１３】
締付けトルクが大きくなり、ネジ本体のヘッドを受ける金具が、バネのバネ力に抗して回転ストッパーを押し下げ、この回転ストッパーが第２縦ガイドから外れると、静止する台座に対し回転板が回転可能になる。
さらに締付けトルクが大きくなり、静止する台座に対し回転板が回転しはじめ、回転板に形成された窓を通して台座の表示部が、変化して表示されるので、締付けトルクを表示できることとなる。
このため、台座の周方向へ変化する表示部を、例えば周方向に複数設けられた着色部や模様とすれば、窓を通して表示部が色や模様の変化として表示され、よって、締付けによるトルクの大きさまで明確に表示でき、しかもゲージ等による測定が必要でない。
また、第二発明に比較して、二つのバネを一つのバネで兼用でき、部品点数を減少できる。
【００１４】
第三発明によれば、回転ストッパーが前記第１縦ガイドおよび前記第２縦ガイドにガイドされるガイド構造を、フィン状部分が縦溝にガイドされる構造、または棒状部分が縦孔にガイドされる構造により、シンプルな構造にできる。
【発明を実施するための最良の形態】
【００１５】
この発明の実施形態を、図１から図５に示す。
「全体概略」
図１に示すように、ネジ本体１は、母材３のネジ穴５にネジ込まれ、通常のネジと同じように、雄ネジ部７とヘッド９を有する。ネジ穴５には内周に雌ネジ１１が形成される。
このネジ本体１のヘッド９の下側には、筒状の金具１３が、雄ネジ部７に同軸に遊嵌されて配置され、ネジ本体１のネジ込み締付けに従って、ヘッド９を下側で受ける。図２（Ａ１）（Ａ２）に示すように、筒状の金具１３は、上底１５を有し、上底１５の中央には、雄ネジ部７が貫通する孔１５Ａが形成される。
【００１６】
この金具１３の筒状の内部に、第１バネ１７であるスプリングワッシャ（図２（Ｂ１）（Ｂ２））が抱持され、雄ネジ部７に同軸に遊嵌されて配置され、ネジ本体１のネジ込み締付けに従って、金具１３により押し下げられる。このスプリングワッシャ（１７）は、本来のネジの緩みを防止する働きのほか、トルクを検出する働きを有する。
【００１７】
この第１バネ１７の下側には、滑りワッシャ１９（図２（Ｃ１）（Ｃ２））が、雄ネジ部７に同軸に遊嵌されて配置され、ネジ本体１のネジ込み締付けに従って、第１バネ１７を下側で受ける。滑りワッシャ１９は、金具１３の筒状の下端縁部２１が回転板２３に密着するまでは、回転板２３が誤って回転することを防止するために、摩擦抵抗を和らげる働きを有する。この滑りワッシャ１９の半径は、スプリングワッシャ（１７）の半径とほぼ同じである。
【００１８】
この滑りワッシャ１９の下側には、ドーナツ円盤状の回転板２３（図２（Ｅ１）（Ｅ２））が、雄ネジ部７に同軸に遊嵌されて配置され、ネジ本体１のネジ込み締付けに従って、滑りワッシャ１９を下側で受ける。この回転板２３は、滑りワッシャ１９よりも大きい。
【００１９】
この回転板２３の下側には、台座２５（図２（Ｇ１）（Ｇ２））が、雄ネジ部７に同軸に遊嵌されて配置され、ネジ本体１のネジ込み締付けに従って、回転板２３を下側で受ける。この台座２５の外半径は、回転板２３の半径とほぼ同じである。台座２５には、上面に、同軸状にリング状の凹部２７が形成される。
【００２０】
この凹部２７は、筒状の金具１３の下端縁部２１が、ネジの締付けに伴い、進入する位置に形成される。
この凹部２７に、後述する回転ストッパー２９（図２（Ｄ１）（Ｄ２））が配置される。回転ストッパー２９は、縦方向にフィン状部分３１を有し、台座２５に形成された第１縦ガイド３３である半径方向の縦溝にガイドされる。
また、このフィン状部分３１は、回転板２３に形成された第２縦ガイド３５である半径方向の縦溝に、上下方向へガイドされる。このようにガイドされることで、回転ストッパー２９は台座２５および回転板２３と、回転方向に一体化する。
【００２１】
凹部２７の底部には、第２バネ３７（図２（Ｆ１）（Ｆ２））が保持され、回転ストッパー２９を下側で支え、回転ストッパー２９を浮いた状態にしている。
そして、第２縦ガイド３５の上下方向の長さは、短い寸法に設定される。この寸法およびフィン状部分３１の上下方向の寸法は、筒状の金具１３の下端縁部２１が、ネジの締付けに伴い、凹部２７へ進入し、この縁部で回転ストッパー２９が、第２バネ３７のバネ力に抗し、押し下げられたときに、回転ストッパー２９のフィン状部分３１は第２縦ガイド３５から外れる寸法に設定される。
【００２２】
回転板２３の縁部には、周方向に短い窓３９が形成される。この窓３９を通して表示されるように、台座２５の縁部には、周方向へ変化する表示部４１が設けられる。この表示部４１は、周方向に複数設けられた着色部からなる。
【００２３】
［回転板２３］
回転板２３は、ドーナツ円盤状をしており、ネジ本体１の雄ネジ部７に同軸に遊嵌されて配置され、ネジ本体１のネジ込み締付けに従って、滑りワッシャ１９を下側で受ける。この回転板２３は、滑りワッシャ１９よりも大きい。この回転板２３の半径は、台座２５の外半径とほぼ同じである。
【００２４】
回転板２３の中央の孔２３Ａは、台座２５の凹部２７の内側の短円柱部分４３に、嵌合する大きさである。
図２（Ｅ１）（Ｅ２）に示すように、回転板２３のドーナツ円盤状の内周の４カ所には、９０度間隔で、第２縦ガイド３５である縦溝が形成される。縦溝は、回転板２３の中心軸を通る平面内に位置する四角形を有し、半径方向と縦方向へ伸びている。この縦溝によって、回転ストッパー２９のフィン状部分３１は上下方向へガイドされる。
【００２５】
縦溝の縦方向、すなわち上下方向の長さは、短い寸法に設定され、この寸法およびフィン状部分３１の上下方向の寸法は、筒状の金具１３の下の縁部が、ネジの締付けに伴い、凹部２７へ進入し、この縁部で回転ストッパー２９が、第２バネ３７のバネ力に抗し、所定量、押し下げられたときに、回転ストッパー２９のフィン状部分３１は第２縦ガイド３５から外れる寸法に設定される。
【００２６】
回転板２３の外側の縁部には、周方向に短い窓３９が２カ所に形成される。２カ所の位置は、１８０度離れている。
【００２７】
［台座２５］
台座２５は、回転板２３の下側に、雄ネジ部７に同軸に遊嵌されて配置される。そして、ネジ本体１のネジ込み締付けに従って、回転板２３を下側で受ける。
【００２８】
また台座２５には、中央は、雄ネジ部７が貫通する孔２５Ａが形成される。そして上面に、同軸状にリング状の凹部２７が形成される。この凹部２７に、回転ストッパー２９と第２バネ３７が配置される。この凹部２７のリング状の内周の半径は、滑りワッシャ１９の外周の半径に一致する。この凹部２７のリング状の外周の半径は、筒状の金具１３の外周の半径よりも大きい。
【００２９】
凹部２７の内側は高くなって短円柱部分４３となり、この短円柱部分４３に回転板２３が嵌合する。短円柱部分43の外半径は、スプリングワッシャ１７の半径とほぼ同じである。
図２（Ｇ１）（Ｇ２）に示すように、この凹部２７のリング状の内周の４カ所には、９０度間隔で、第１縦ガイド３３である縦溝が形成される。この縦溝は、凹部２７の中心軸を通る平面内に位置する四角形を有し、半径方向と縦方向へ伸びている。この縦溝によって、回転ストッパー２９のフィン状部分３１は上下方向へガイドされる。縦溝の縦方向、すなわち上下方向の長さは、凹部２７の深さいっぱいに設定される。
【００３０】
回転板２３の窓３９を通して表示されるように、台座２５の縁部には、周方向へ変化する表示部４１が設けられる。この表示部４１は、周方向に複数設けられた着色部からなる。複数の着色部は、ネジの回転方向へ向かって、例えば、無色、黄色、桃色、赤色である。
【００３１】
［回転ストッパー２９］
回転ストッパー２９は、台座２５の凹部２７に配置される。回転ストッパー２９は、短円筒部分３０の外側で、略下端部にフィン状部分３１を有する。
そして、図２（Ｄ１）（Ｄ２）に示すように、短円筒部分３０は、台座２５の凹部２７の内側に形成される短円柱部分４３に嵌合する。フィン状部分３１は、短円筒部分の外周の４カ所に、９０度間隔で形成され、短円筒部分の中心軸を通る平面内に位置する四角形を有し、半径方向と縦方向へ伸びている。フィン状部分３１は、短円筒部分の外周の４カ所に、９０度間隔で、Ｌ字状の切り込みを入れ、この切り込み部分を外側へ押し出したものである。
【００３２】
フィン状部分３１は、台座２５に形成された第１縦ガイド３３である半径方向の縦溝にガイド、および、回転板２３に形成された第２縦ガイド３５である半径方向の縦溝に、上下方向へガイドされる。このようにガイドされることで、回転ストッパー２９は台座２５および回転板２３と、回転方向に一体化する。
短円筒部分３０の上端は、金具１３の下の縁部３１に接触し、回転ストッパー２９が押し下げられる。
【００３３】
［第２バネ３７］
第２バネ３７は、台座２５の凹部２７の底部に保持され、回転ストッパー２９を下側で支え、回転ストッパー２９を浮いた状態にし、よって回転ストッパーフィン状部分を、回転板２３に形成された第２縦ガイド３５である半径方向の縦溝に、ガイドさせるものである。
【００３４】
図２（Ｆ１）（Ｆ２）に示すように、第２バネ３７は、ドーナツ円盤状の金具１３の内周の４カ所に９０度間隔で、Ｌ字状の切り込みを入れ、この切り込み部分を下方へ押し込んで、バネ脚としたものである。
【００３５】
「実施形態の効果」
この実施形態によれば、以下の作用効果を得る。
すなわち、まず図１に示すように、ネジ本体１が母材３のネジ穴５にネジ込まれる初期には、トルク表示機能付きネジを構成する各部材がすべて回転し、下降する。
やがて、図３に示すように、締付けトルクがネジ本体１に与えられ、台座２５が母材３に接し、摩擦抵抗が増大すると、上方のネジ本体１、筒状の金具１３、および第１バネ１７は回転を続けるものの、フィン状部分３１と第１縦ガイド３３および第２縦ガイド３５により一体化していた下方の台座２５、回転板２３、および回転ストッパー２９は、回転を止め、静止する。ネジ本体１は下降を続ける。
【００３６】
図４に示すように、締付けトルクが大きくなり、ネジ本体１のヘッド９を受ける筒状の金具１３の縁部が、第１バネ１７や第２バネ３７のバネ力に抗して回転ストッパー２９を押し下げ、この回転ストッパー２９が第２縦ガイド３５から外れると、静止する台座２５に対し、それまで静止していた回転板２３が回転可能になる。
【００３７】
さらに締付けトルクが大きくなり、金具１３の筒状の下端縁部２１が回転板２３に密着するなどして、静止する台座２５に対し回転板２３が実際に回転しはじめ、図５に示すように、回転板２３に形成された窓３９を通して台座２５の表示部４１が、変化して表示されるので、締付けトルクを表示できることとなる。
【００３８】
すなわち、無色（図５（Ａ））、黄色（図５（Ｂ））、桃色（図５（Ｃ））、赤色（図５（Ｄ））の４段階で、締付けトルクの大きさが表示される。
（１）このため、締付けによるトルクの大きさを４段階まで明確に表示でき、しかも従来のようにゲージ等による測定が必要でない。
（２）また、特許文献１の図１の技術は、ゴムの劣化により、経年後の再締付け時には、正しく機能しないことが予想される。これに対し、この実施形態では、金具１３の縁部が、第１バネ１７や第２バネ３７のバネ力に抗して回転ストッパー２９を押し下げ、第２縦ガイド３５から外すまで押し下げた状態で年を経ても、第２バネ３７は、金属製にでき、台座２５の凹部２７の中で余裕を持った状態で配置できるので、ゴムのような劣化を生じない。
【００３９】
（３）また、特許文献１の図２の技術は、バネ部２ｕが完全につぶれる最大トルクで締め付けを行った時には、バネ部２ｕが、経年による塑性変形により、経年後の再締付け時には、正しく機能しないことが予想される。これに対し、この実施形態では、最大トルクで締め付けを行っても、第２バネ３７は、つぶれてしまう塑性変形を起こさない。
【００４０】
（４）また、特許文献１の図２の技術は、他方、バネ部２ｕが完全につぶれる最大トルク以外で締め付けを行った時には、バネのヘッド９とバネ部２ｕの間に、隙間が生じ、このため長期使用の金属の劣化等によりネジの緩みが生じてしまうことが予想される。これに対し、この実施形態では、最大トルク以外で締め付けを行っても、隙間を生じない。台座２５に対し回転板２３が相対的に回転するだけである。
【００４１】
（５）さらに、さらに、特許文献２では、金属製のワッシャの突起部が窪みに陥没するという塑性変形を利用しており、再締付け時には、正しく機能しない。これに対し、この実施形態では、第２バネ３７は、塑性変形を利用せず、再締付け時にも、正しく機能する。
【００４２】
「他の実施形態」
（１）以上の実施形態では、第１バネ１７と第２バネ３７の二つのバネが用いられたが、他の実施形態では、一つのバネを用いることも可能である。すなわち、第１のバネを省略し、第２バネ３７に大きなバネにし、第１バネ１７を兼ねるものとすることができる。
【００４３】
すなわち、締付けトルクを表示する機能を備えたネジにおいて、母材３のネジ穴５にネジ込まれるネジ本体１と、このネジ本体１のヘッド９を下側で受ける金具１３と、この金具１３を下側で受ける回転板２３と、この回転板２３を下側で受ける台座２５と、この台座２５に形成された第１縦溝にガイドされ、前記回転板２３に形成された第２縦溝に嵌合することで前記台座２５および回転板２３と回転方向に一体化し、前記金具１３で押し下げられたときに前記第２縦溝から外れることで前記台座２５に対し前記回転板２３を回転可能にする回転ストッパー２９と、この回転ストッパー２９を下側で支え前記台座２５に保持されるバネ３７と、回転板２３に形成された窓３９と、この窓３９を通して表示される台座２５の周方向へ変化する表示部４１と、を有することを特徴とするトルク表示機能付きネジ、とすることができる。
【００４４】
これにより、ネジ本体１が母材３のネジ穴５にネジ込まれる初期には、トルク表示機能付きネジを構成する各部材が回転する。
やがて、締付けトルクがネジ本体１に与えられ、台座２５が母材３に接し、摩擦抵抗が増大すると、上方のネジ本体１、および金具１３は回転を続けるものの、第１縦ガイド３３および第２縦ガイド３５により一体化していた下方の台座２５、回転板２３、および回転ストッパー２９は、回転を止め、静止する。
【００４５】
締付けトルクが大きくなり、ネジ本体１のヘッド９を受ける金具１３が、バネのバネ力に抗して回転ストッパー２９を押し下げ、この回転ストッパー２９が第２縦ガイド３５から外れると、静止する台座２５に対し回転板２３が回転可能になる。
さらに締付けトルクが大きくなり、静止する台座２５に対し回転板２３が回転しはじめ、回転板２３に形成された窓３９を通して台座２５の表示部４１が、変化して表示されるので、締付けトルクを表示できることとなる。
以上の実施形態に比較して、二つのバネを一つのバネ３７で兼用でき、部品点数を減少できる。
【００４６】
（２）また、以上の実施形態では、回転ストッパー２９が第１縦ガイド３３および第２縦ガイド３５にガイドされるガイド構造を、フィン状部分３１が縦溝にガイドされる構造として説明したが、他の実施形態では、ほかの構造を採用することもできる。例えば、棒状部分が縦孔にガイドされる構造とできる。
【００４７】
（３）以上の実施形態では、締付けによるトルクの大きさを、４つの色で４段階まで明確にするものであったが、他の実施形態では、５以上の色で５段階以上まで明確にすることができる。さらに、色の変化を、グラディエーションにより表示し、無数の段階に表示することも可能である。
【００４８】
（４）以上の実施形態では、締付けによるトルクの大きさを、色の違いで明確にするものであったが、他の実施形態では、模様により明確にしてもよい。例えば模様を、徐々に間隔が狭くなるバーコード状にし、窓３９に現れる線の数が、徐々に多くなるという変化で、トルクの大きさを明確にしてもよい。
【００４９】
（５）以上の実施形態では、第２バネ３７は、特殊な形状を有していたが、他の実施形態では、通常のスプリングワッシャを用いることも可能である。
【図面の簡単な説明】
【００５０】
【図１】この発明の一実施形態を示すもので、ネジ込みの初期の状態で（Ａ）は左半分を縦断面にした側面図、（Ｂ）は平面図である。
【図２】図１の各部品を示すもので、（Ａ１）筒状の金具の平面図（Ａ２）はその側面図、（Ｂ１）第１バネであるスプリングワッシャの平面図（Ｂ２）はその側面図、（Ｃ１）滑りワッシャの平面図（Ｃ２）はその側面図、（Ｄ１）回転ストッパーの平面図（Ｄ２）はその側面図、（Ｅ１）回転板の平面図（Ｅ２）はその側面図、（Ｆ１）第２バネの平面図（Ｆ２）はその側面図、（Ｇ１）台座の平面図（Ｇ２）はその側面図、である。
【図３】図１で締付けトルクがネジ本体に与えられた状態で（Ａ）は左半分を縦断面にした側面図、（Ｂ）は平面図である。
【図４】図１で締付けトルクが大きくなった状態で（Ａ）は左半分を縦断面にした側面図、（Ｂ）は平面図である。
【図５】図４（Ｂ）の平面図において締付けトルクがさらに大きくなり、回転板が実際に回転しはじめ、窓を通して台座の表示部が変化する様子を示すのもで、図中（Ａ）（Ｂ）（Ｃ）（Ｄ）の順に変化する。
【符号の説明】
【００５１】
１…ネジ本体、３…母材、５…ネジ穴、７…雄ネジ部、９…ヘッド、１１…雌ネジ、１３…金具、１５…上底、１７…第１バネ、１９…滑りワッシャ、２１…下端縁部、２３…回転板、２５…台座、２７…凹部、２９…回転ストッパー、３１…フィン状部分、３３…第１縦ガイド、３５…第２縦ガイド、３７…第２バネ、３９…窓、４１…表示部、４３…短円柱部分。
【図１】
2010077989.tif 000003
【図２】
2010077989.tif 000004
【図３】
2010077989.tif 000005
【図４】
2010077989.tif 000006
【図５】
2010077989.tif 000007